(57)【要約】      （修正有）【課題】施工の際の引っ張り強度が加わった際や、使用時の荷重にも耐えうる、作動不良のない遠隔操作式排水栓装置のレリースワイヤを提供する。【解決手段】槽体１の排水口２を遠隔操作によって開閉する遠隔操作式排水栓装置のレリースワイヤ３において、該レリースワイヤ３を、側面方向に可撓性を備えた筒体から構成されるアウターチューブ５、アウターチューブ５内を進退自在に挿通されるインナーワイヤ４、から構成し、更に前記アウターチューブ５の少なくとも一方の端部に、円筒状であって、端部に外側方向に突出して構成される鍔部７を構成するとともに、外周面に雄ねじ８を刻設したアウターエンド６を圧入して構成したことを特徴とする。【選択図】図１
2006234123.tif 000002
【特許請求の範囲】
【請求項１】
槽体１の排水口２を遠隔操作によって開閉する、遠隔操作式排水栓装置のレリースワイヤ３において、
該レリースワイヤ３を、
側面方向に可撓性を備えた筒体から構成されるアウターチューブ５、
アウターチューブ５内を進退自在に挿通されるインナーワイヤ４、
から構成し、更に
前記アウターチューブ５の少なくとも一方の端部に、
円筒状であって、端部に外側方向に突出して構成される鍔部７を構成するとともに、外周面に雄ねじ８を刻設したアウターエンド６を圧入して構成したことを特徴とする遠隔操作式排水栓装置のレリースワイヤ。
【請求項２】
前記アウターエンド６が圧入された部分を、アウターチューブ５の外側方向から、金属材で加締め固定する加締め部９を構成したことを特徴とする請求項１に記載の遠隔操作式排水栓装置のレリースワイヤ。
【請求項３】
前記アウターエンド６を、金属材から構成したことを特徴とする請求項１又は請求項２に記載の遠隔操作式排水栓装置のレリースワイヤ。
【請求項４】
前記アウターチューブ５を、樹脂材から構成したことを特徴とする請求項１乃至請求項３いずれか一つに記載の遠隔操作式排水栓装置のレリースワイヤ。
【請求項５】
前記槽体１を、浴槽としたことを特徴とする請求項１乃至請求項４のいずれか一つに記載の遠隔操作式排水栓装置のレリースワイヤ。
【請求項６】
前記槽体１を、洗面ボウルとしたことを特徴とする請求項１乃至請求項４のいずれか一つに記載の遠隔操作式排水栓装置のレリースワイヤ。
【発明の詳細な説明】
【技術分野】
【０００１】
本発明は、洗面台や流し台などの、槽体の排水口の開口／閉口に用いられる遠隔操作式排水栓装置に関するものである。
【背景技術】
【０００２】
従来よく知られた、遠隔操作式排水栓装置としては、例えば図７及び図８に示したものがある。以下に図７及び図８に示した遠隔操作式排水装置の従来例を、図面を参照しつつ説明する。
図７及び図８に図示した従来例の遠隔操作式排水栓装置は、以下に記載した槽体排水口、排水栓、弁支持部材、レリースワイヤ、加締め部、操作部、保持機構部、エルボ部材、チューブ管、より構成されてなる。
槽体は、本実施例では浴槽を使用し、底面には排水を排水するための開口を構成している。
排水口は、内部に排水を排水するための開口を構成する略円筒形状であって、その外側面に雄ねじを備え、前記槽体の開口に取り付けられる。
排水栓は、排水口を水密的に開口／閉口する部材であって、中心部から垂下して構成される弁軸を構成する。
弁支持部材は、排水口内に収納固定される部材であって、軸部を進退自在に収納するとともに、その後端に後記するレリースワイヤを接続する。
レリースワイヤは、アウターチューブ、インナーワイヤから構成される。
アウターチューブは、内部にインナーワイヤを進退自在に挿通するための筒状且つ側面方向に可撓性を備えて構成される。また、アウターチューブの両端部は、鍔状に外側方向に突出して一体的に構成されるアウターエンドを構成し、金属材から成る回転リングを備える。尚、本従来例では、アウターチューブは４フッ化エチレン材から構成される。
インナーワイヤは、アウターチューブ内に進退自在に挿通される様に配置され、本従来例では金属線をスパイラル状に構成したインナーワイヤを使用する。そして、一方の端部は排水栓に、他端を操作部に連絡するように配置される。
加締め部は、金属材から成り、前記アウターチューブの端部に備えられた回転リングと加締め固定される。
操作部は、前記インナーワイヤの進退を操作する部材であり、前記槽体の天面に配置され、操作ボタンを備える。
保持機構部は、インナーワイヤの進退を保持する部材であり、本従来例では従来より公知の、スラストロック機構から構成され、排水口内に配置される。
エルボ部材は、槽体内の排水を下水側へと排水するための排水配管の一部であり、本従来例では排水口に接続されて、最終的には排水トラップへと排水されるよう、適宜排水管により配管される。また、前記レリースワイヤを挿通する挿通口を備えて成る。
チューブ管は、筒状にして軸方向には剛性を、また側面方向には可撓性を備えた中空の部材であって、一方の端部は前記操作部に、他端はエルボ部材の挿通口にそれぞれ水密的に接続され、内部にはレリースワイヤが挿通されてなる。
【０００３】
当該従来例の遠隔操作式排水栓装置のレリースワイヤの施工方法としては、まず、槽体の排水口にエルボ部材を接続し、浴槽上縁の天面に操作部を取り付け固定し、操作部とエルボ部材の挿通口とを、前記チューブ管を介して水密的に接続する。
更にレリースワイヤを、操作部側から排水口側まで挿入する。
その後排水口側からレリースワイヤをペンチなどで引き上げ、レリースワイヤと保持機構部とを接続し、更に弁支持部材に保持機構部を取り付ける。
そして、弁支持部材を排水口に取り付け固定するとともに、排水栓をインナーワイヤの端部が連絡するように弁保持部材に取り付け、更に操作部に操作ボタンを取り付けて、遠隔操作式排水栓装置の施工が完了する。
【０００４】
このようにして施工された遠隔操作式排水栓装置のレリースワイヤは以下のような作動となる。まず操作部の操作ボタンに操作を加えて排水栓が排水口を閉口した状態、即ちインナーワイヤが操作部側に後退した状態とする。この状態より操作ボタンに操作を加えて、インナーワイヤを排水口側に前進させると、インナーワイヤ先端が一時的に上昇して、直上にある保持機構部のスラストロック機構を機能させ、スラストロック機構の軸部が排水栓の弁軸下端を押上げ、それに伴って排水栓が上昇して排水口を開口する。尚、インナーワイヤは、レリースワイヤに組み込まれているスプリングの働きによって後退し、当初の位置に戻る。また、この開口状態は排水口に備えた保持機構部のスラストロック機構によって保持される。
この状態より操作ボタンに操作を加えて、再度インナーワイヤを排水口側に前進させると、再びインナーワイヤ先端が一時的に上昇して、直上にある保持機構部のスラストロック機構を機能させ、保持機構部の保持状態が解除される。尚、インナーワイヤは、レリースワイヤに組み込まれているスプリングの働きによって後退し、当初の位置に戻る。このため、スラストロック機構の軸部が下降するのに伴い、排水栓も降下して排水口を閉口する。以後この操作を繰り返すことで排水口の開閉を操作部によって遠隔的且つ自在に操作することができる。
【０００５】
また、前記従来例の遠隔操作式排水栓装置の排水の流れとしては、排水口の排水栓が開口しているときは排水が排水口からエルボ部材へと流れ込み、最終的には排水トラップを介して下水へと排水される。そして、排水口の排水栓を閉口した際は、槽体内に貯水されることとなる。
【０００６】
【特許文献１】特登３１４０３１２号公報（図２、図４）
【発明の開示】
【発明が解決しようとする課題】
【０００７】
ところで、遠隔操作式排水栓装置のレリースワイヤには、以下のような問題点があった。
１．遠隔操作式排水栓装置のレリースワイヤは、操作部から排水口までの位置が複雑であることが多く、ある程度可撓性を有したレリースワイヤを用いないと、両者は接続出来ない。
２．前記段落０００３にも記載したように、遠隔操作式排水栓装置のレリースワイヤは施工の際に、施工作業者から排水口からペンチなどで引っ張られる可能性がある。
３．また、槽体は浴槽であれば内部に人間が入り、洗面ボウルでは水の入ったバケツなど、比較的重量のあるものが内部に入ることとなる。排水栓にこれらの重量物が載置された状態で、排水口を開閉しようと遠隔操作式排水栓装置を作動させると、アウターチューブの軸方向に、このような重量のあるものの荷重が加わる可能性がある。
４．これに対し、従来の遠隔操作式排水栓装置のレリースワイヤでは、アウターエンドがアウターチューブと一体的に構成されること、そして前記１．の理由から、アウターチューブは可撓性を備えた例えば４フッ化エチレンなどの比較的引っ張り強度の弱い樹脂などから構成されるため、前記２．３．のような場合に、アウターエンドがその加わった荷重もしくは引っ張り応力に耐えかねて破損する場合があった。そして、このような破損が発生すると、アウターエンドの鍔がなくなって、加締め部との取り付けが出来なくなってしまい、遠隔操作式排水栓装置のレリースワイヤが正常に作動しなくなる原因と成っていた。
【０００８】
以上のことから、本願発明の遠隔操作式排水栓装置のレリースワイヤは、
施工の際の引っ張り強度が加わった際や、使用時の荷重にも耐えうる、作動不良のない遠隔操作式排水栓装置のレリースワイヤを提供する。 
【課題を解決するための手段】
【０００９】
請求項１に記載の遠隔操作式排水栓装置のレリースワイヤは、槽体１の排水口２を遠隔操作によって開閉する、遠隔操作式排水栓装置のレリースワイヤ３において、該レリースワイヤ３を、側面方向に可撓性を備えた筒体から構成されるアウターチューブ５、アウターチューブ５内を進退自在に挿通されるインナーワイヤ４、から構成し、更に前記アウターチューブ５の少なくとも一方の端部に、円筒状であって、端部に外側方向に突出して構成される鍔部７を構成するとともに、外周面に雄ねじ８を刻設したアウターエンド６を圧入して構成したことを特徴とする遠隔操作式排水栓装置のレリースワイヤである。
【００１０】
請求項２に記載の遠隔操作式排水栓装置のレリースワイヤは、前記アウターエンド６が圧入された部分を、アウターチューブ５の外側方向から、金属材で加締め固定する加締め部９を構成したことを特徴とする前記段落０００９に記載の遠隔操作式排水栓装置のレリースワイヤである。
【００１１】
請求項３に記載の遠隔操作式排水栓装置のレリースワイヤは、前記アウターエンド６を、金属材から構成したことを特徴とする前記段落０００９又は段落００１０に記載の遠隔操作式排水栓装置のレリースワイヤである。
【００１２】
請求項４に記載の遠隔操作式排水栓装置のレリースワイヤは、前記アウターチューブ５を、樹脂材から構成したことを特徴とする前記段落０００９乃至段落００１１のいずれか一つに記載の遠隔操作式排水栓装置のレリースワイヤである。
【００１３】
請求項５に記載の遠隔操作式排水栓装置のレリースワイヤは、前記槽体１を、浴槽としたことを特徴とする前記段落０００９乃至段落００１２のいずれか一つに記載の遠隔操作式排水栓装置のレリースワイヤである。
【００１４】
請求項６に記載の遠隔操作式排水栓装置のレリースワイヤは、前記槽体１を、洗面ボウルとしたことを特徴とする前記段落０００９乃至段落００１２のいずれか一つに記載の遠隔操作式排水栓装置のレリースワイヤである。
【発明の効果】
【００１５】
本発明の遠隔操作式排水栓装置のレリースワイヤによれば、以下の効果を奏する。
請求項１に記載の発明によれば、アウターチューブ５の少なくとも一方の端部に、外周面に雄ねじ８を刻設したアウターエンド６を圧入して構成したことから、アウターチューブ５に引っ張り応力や荷重が加わっても、アウターエンド６が破損することがなくなる。また、雄ねじ８を構成したことから、特に引っ張り応力による部分に効果を発揮する。
請求項２に記載の発明によれば、前記アウターエンド６が圧入された部分を、アウターチューブ５の外側方向から、金属材で加締め固定する加締め部９を構成したことから、アウターチューブ５に引っ張り応力や荷重が加わっても、アウターエンド６の鍔部７が破損することがなくなる。
請求項３に記載の発明によればアウターエンド６を、金属材から構成したことから、アウターチューブ５に引っ張り応力や荷重が加わっても、アウターエンド６を樹脂材から構成するよりも破損することがなくなる。
請求項４に記載の発明によれば、アウターチューブ５を樹脂材から構成したことから、操作部１５から排水口２までの位置や距離が複雑であっても、アウターチューブ５自身が可撓性を備えることが出来るため、効果を発揮する。
請求項５に記載の発明によれば、槽体１を浴槽としたことから、遠隔操作式排水栓装置のレリースワイヤ３を浴槽に用いることが出来る。
請求項６に記載の発明によれば、槽体１を、洗面ボウルとしたことから、遠隔操作式排水栓装置のレリースワイヤ３を洗面ボウルに用いることが出来る。
【実施例】
【００１６】
以下に本発明の実施例を、図面１乃至図６を参照しつつ説明する。
図１乃至図６に図示した本発明のレリースワイヤ３を採用した遠隔操作式排水栓装置は、以下に記載した槽体１、排水口２、排水栓１０、弁支持部材１２、レリースワイヤ３、加締め部９、操作部１５、保持機構部１１、エルボ部材１３、チューブ管１４、より構成されてなる。
槽体１は、本実施例では浴槽を使用し、底面には排水を排水するための開口を構成している。
排水口２は、内部に排水を排水するための開口を構成する略円筒形状であって、その外側面に雄ねじを備え、前記槽体１の開口に取り付けられる。
排水栓１０は、排水口２を水密的に開口／閉口する部材であって、中心部から垂下して構成される弁軸を構成する。
弁支持部材１２は、排水口２内に収納固定される部材であって、軸部を進退自在に収納するとともに、その後端に後紀するレリースワイヤ３を接続する。
レリースワイヤ３は、図１乃至図４に示したように、アウターチューブ５、インナーワイヤ４から構成される。
アウターチューブ５は、内部にインナーワイヤ４を進退自在に挿通するための筒状且つ側面方向に可撓性を備えて構成され、その材質を４フッ化エチレン材から成る樹脂材から構成する。また、アウターチューブ５の両端部には、鍔状に外側方向に突出した鍔部７と、外周面に雄ねじ８を刻設した、金属材から成るアウターエンド６を圧入固定して備える。当該構成としたことで、仮にアウターチューブ５が施工の際引っ張られるなど発生した場合でも、アウターチューブ５の端部には金属製のアウターエンド６が圧入固定されているので、アウターエンド６の鍔が破損することがない。従って、アウターチューブ５の引っ張り強度が増大する。
インナーワイヤ４は、特に図３と図４に示したように、アウターチューブ５内に進退自在に挿通されるように配置され、本実施例では金属線をスパイラル状に構成したインナーワイヤ４を使用する。そして、一方の端部は排水栓１０に、他端を操作部１５に連絡するように配置される。
加締め部９は、金属材から成り、前記アウターチューブ５の端部のアウターエンド６とアウターチューブ５とを加締め固定して操作部１５や弁支持部材１２などとの接続をする部材である。
操作部１５は、前記インナーワイヤ４の進退を操作する部材であり、前記槽体１の天面に配置され、操作ボタン１６を備える。
保持機構部１１は、インナーワイヤ４の進退を保持する部材であり、本実施例では従来より公知のスラストロック機構を備える。また、当該保持機構部１１は、本実施例では従来例とは違って操作部１５内に配置されるようにレリースワイヤ３の操作部１５側端部に連絡するようにして取り付けられる。
エルボ部材１３は、槽体１内の排水を下水側へと排水するための排水配管の一部であり、本実施例では排水口２の雄ねじに接続されて、最終的には排水トラップへと排水されるよう、適宜排水管により配管される。また、前記レリースワイヤ３を挿通する挿通口を備えて成る。
チューブ管１４は、筒状にして軸方向には剛性を、また側面方向には可撓性を備えた中空の部材であって、一方の端部は前記操作部１５に、他端はエルボ部材１３の挿通口にそれぞれ水密的に接続され、内部にはレリースワイヤ３が挿通されてなる。
【００１７】
当該実施例の遠隔操作式排水栓装置のレリースワイヤ３の施工方法としては、まず、槽体１の排水口２にエルボ部材１３を接続し、浴槽上縁の天面に操作部１５を取り付け固定し、操作部１５とエルボ部材１３の挿通口とを、前記チューブ管１４を介して水密的に接続する。
更にレリースワイヤ３を、操作部１５側から排水口２側まで挿入する。
その後排水口２側からレリースワイヤ３をペンチなどで引き上げ、弁支持部材１２にレリースワイヤ３の端部を取り付ける。
そして、弁支持部材１２を排水口２に取り付け固定するとともに、操作部１５側のレリースワイヤ３の保持機構部１１を操作部１５の適宜箇所に取り付け、さらに操作部１５に操作ボタン１６を取り付けて、遠隔操作式排水栓装置の施工が完了する。また、施工の際、排水口２からレリースワイヤ３を引き上げる際にレリースワイヤ３が過度に引っ張られても、アウターチューブ５にはアウターエンド６が金属材且つアウターチューブ５端部に、雄ねじ８により圧入固定されているため、アウターエンド６の鍔部７が破損することがない。
【００１８】
このようにして施工された遠隔操作式排水栓装置のレリースワイヤは以下のような作動となる。まず操作部１５の操作ボタン１６に操作を加えて排水栓１０が排水口２を閉口した状態、即ちインナーワイヤ４が操作部１５側に後退した状態とする（図１と図５の時）。この状態より操作ボタン１６に操作を加えて、インナーワイヤ４を排水口２側に前進させると、図２と図６に示したようにインナーワイヤ４先端が一時的に上昇して、操作部１５にある保持機構部１１のスラストロック機構を機能させ、スラストロック機構がインナーワイヤ４の前進を保持する。インナーワイヤ４の前進に伴いインナーワイヤ４先端が排水栓１０の弁軸下端を押上げ、それに伴って排水栓１０が上昇して排水口２を開口する。また、この開口状態は操作部１５に備えた保持機構部１１のスラストロック機構によって保持される。（図２と図６の時）
この状態より操作ボタン１６に操作を加えて、再度インナーワイヤ４を排水口２側に前進させると、再びインナーワイヤ４先端が一時的に上昇して、操作部１５にある保持機構部１１のスラストロック機構を機能させ、保持機構部１１の保持状態が解除される。尚、インナーワイヤ４は、レリースワイヤ３に組み込まれているスプリングの働きによって後退し、当初の位置に戻る（図１と図５の時）。このため、スラストロック機構が下降するのに伴い、排水栓１０も降下して排水口２を閉口する。以後この操作を繰り返すことで排水口２の開閉を操作部１５によって遠隔的且つ自在に操作することができる。
また、このように作動される遠隔操作式排水栓装置は、槽体１内部に人間や水の入ったバケツなど、比較的重量のあるものが内部に入り、排水栓１０にこれらの重量物が載置された状態で、排水口２を開閉しようと遠隔操作式排水栓装置を作動させても、前述のように、アウターチューブ５にはアウターエンド６が金属材且つアウターチューブ５端部に、雄ねじ８により圧入固定されているため、強度が飛躍的に向上しており、アウターチューブ５のアウターエンド６の鍔部７が破損することがない。
【００１９】
また、前記実施例の遠隔操作式排水栓装置の排水の流れとしては、排水口２の排水栓１０が開口しているときは排水が排水口２からエルボ部材１３へと流れ込み、最終的には排水トラップを介して下水へと排水される。そして、排水口２の排水栓１０を閉口した際は、槽体１内に貯水されることとなる。
【００２０】
また、本発明は上記実施例に限定されることなく、請求項の範囲を逸脱することない範囲において、設計変更は可能である。
例えば、上記実施例では機構部をスラストロック機構としているが、レリースワイヤ３の進退を保持できる機構であれば特に問題はない。
また、前記実施例ではアウターエンド６を金属材としているが、アウターエンド６の材質はアウターチューブ５の材質より強度のある材質であれば問題はない。
また、前記実施例では保持機構部１１を操作部１５側に配置しているが、従来例のように排水口２側に保持機構部１１を配置しても問題はない。
また、前記実施例ではアウターチューブ５の材質を４フッ化エチレンとしているが、その材質については可撓性を備えた材質であれば特に問題はない。
また、前記実施例ではインナーワイヤの形状を金属製のスプリング状のワイヤーとしたが、例えば金属をより線状に構成したワイヤーを用いても問題はない。
また、前記実施例では槽体１を浴槽としているが、例えば洗面ボウルなどでも問題はない。
【図面の簡単な説明】
【００２１】
【図１】本発明のレリースワイヤの閉口時の断面図である。
【図２】本発明のレリースワイヤの開口時の断面図である。
【図３】本発明のレリースワイヤの操作部側の部分断面図である。
【図４】本発明のレリースワイヤの排水口側の部分断面図である。
【図５】実施例における浴槽に施工時の閉口時断面図である。
【図６】実施例における浴槽に施工時の開口時断面図である。
【図７】従来例の遠隔操作式排水栓装置のレリースワイヤを示す断面図である。
【図８】従来例の遠隔操作式排水栓装置のレリースワイヤを示す部分拡大断面図である。
【符号の説明】
【００２２】
１    槽体
２    排水口
３    レリースワイヤ
４    インナーワイヤ
５    アウターチューブ
６    アウターエンド
７    鍔部
８    雄ねじ
９    加締め部
１０  排水栓
１１  保持機構部
１２  弁支持部材
１３  エルボ部材
１４  チューブ管
１５  操作部
１６  操作ボタン
【図１】
2006234123.tif 000003
【図２】
2006234123.tif 000004
【図３】
2006234123.tif 000005
【図４】
2006234123.tif 000006
【図５】
2006234123.tif 000007
【図６】
2006234123.tif 000008
【図７】
2006234123.tif 000009
【図８】
2006234123.tif 000010